(57)【要約】【課題】  オートマチックモードからマニュアルモードへシフトレバーを傾倒操作する際の操作音を小さくしつつ摩耗による耐久性の悪化を回避することができるとともに、適用形態を広げることができる車両用自動変速操作装置を提供する。【解決手段】  ブラケット２に対して前後方向に揺動及び左右方向に傾倒可能に支持されたシフトレバー１を有した車両用自動変速操作装置において、前後方向へシフトレバー１を揺動させ得るとともに、当該シフトレバー１を挿通させ得る開口部Ｋ２が形成されたピボット軸４と、該ピボット軸４の開口部Ｋ２内に配設され、ブラケット２に対して左右方向へシフトレバー１を傾倒させ得る支持ピン６と、該支持ピン６を軸として傾倒したシフトレバー１と当接して傾倒範囲を規制する突起部７及び凹部１１とを備え、それらがピボット軸４の開口部Ｋ２内に設けられたものである。【選択図】図８
2005119395.tif 000002
【特許請求の範囲】
【請求項１】
車体に固定され得るブラケットに対して前後方向に揺動及び左右方向に傾倒可能に支持されたシフトレバーを有し、前後方向への揺動操作により設定されるオートマチックモードと、左又は右方向への傾倒操作の後に前後方向への揺動操作を行うことにより設定されるマニュアルモードとを具備する車両用自動変速操作装置において、
前記ブラケットに対し前後方向へ前記シフトレバーを揺動させ得るとともに、当該シフトレバーを挿通させ得る開口部が形成されたピボット軸と、
該ピボット軸の開口部内に配設され、前記ブラケットに対して左右方向へ前記シフトレバーを傾倒させ得る支持ピンと、
該支持ピンを軸として傾倒した前記シフトレバーと当接して当該シフトレバーの傾倒範囲を規制する当接部と、
を備えるとともに、前記当接部が前記ピボット軸の開口部内に設けられたことを特徴とする車両用自動変速操作装置。
【請求項２】
前記当接部の当接部位には、クッション材が設けられていることを特徴とする請求項１記載の車両用自動変速操作装置。
【請求項３】
前記当接部は、ピボット軸の開口部内壁からシフトレバー側へ突設した突起部から成るとともに、前記シフトレバーには凹部が設けられ、少なくとも当該シフトレバーを左右方向へ傾倒した際に凹部の上面又は下面が突起部と当接して傾倒範囲を規制することを特徴とする請求項１又は請求項２記載の車両用自動変速操作装置。
【請求項４】
前記ピボット軸の前記ブラケットに対するシフトレバーの揺動軸線上に前記支持ピンが配設されたことを特徴とする請求項１〜請求項３のいずれか１つに記載の車両用自動変速操作装置。
【発明の詳細な説明】
【技術分野】
【０００１】
本発明は、オートマチックモード及びマニュアルモードを任意に設定可能な車両用自動変速操作装置に関するものである。
【背景技術】
【０００２】
自動車における自動変速操作装置は、車体に固定されたブラケットからシフトレバーが突設されており、該シフトレバーの前後方向への揺動操作により自動車が具備する自動変速機に対して所望操作を行い得るよう構成されていた。また、かかる自動変速操作装置において、シフトレバーがドライブレンジ（Ｄレンジ）にあるとき、当該シフトレバーを左又は右方向へ傾倒させ、その状態から前後方向へ操作することにより、マニュアルにて変速機を操作し得るようなものも提案されている。
【０００３】
例えば、特許文献１に開示されているように、通常の自動変速操作時（オートマチックモード）にはシフトレバーを前後方向へ揺動操作して所定位置とすることにより、パーキング（Ｐ）、リバース（Ｒ）、ニュートラル（Ｎ）、ドライブ（Ｄ）及び２速（２）等自動変速機を所望状態とすることができるとともに、シフトレバーがドライブ（Ｄ）にある状態から左又は右方向へ傾倒させつつ前後方向へ揺動させるとマニュアルモードとなるよう構成されていた。
【０００４】
具体的には、マニュアルモードの状態においてシフトレバーを前方向へ揺動させれば、その状態から加速用の電気的スイッチ（＋）を作動させる一方、後方向へ揺動させれば、減速用の電気的スイッチ（−）を作動させ、運転者が任意のシフト操作を行うことができるようになっている。即ち、オートマチックモードからマニュアルモードにすべくシフトレバーは左右方向に傾倒可能とされており、その傾倒範囲は、エスカッション等に形成されたゲート溝やブラケットの一部がシフトレバーの一部（例えば基端側から突設された部位等）と常時当接するよう構成しておき、その摺動動作を規制することにより成されていた。
【特許文献１】特開平９−２３６１６９号公報
【発明の開示】
【発明が解決しようとする課題】
【０００５】
しかしながら、上記従来の車両用自動変速操作装置においては、オートマチックモードからマニュアルモードにシフトレバーを傾倒操作する際、当該シフトレバーとブラケットやエスカッションとが摺動するため、その操作音が大きくなってしまうとともに、摺動抵抗による摩耗が生じ、耐久性が早期に悪化してしまうという不具合があった。また、シフトレバーの一部に対して摺動すべきゲート溝やブラケットの部位が必要となり、オートマチックモード及びマニュアルモードの両者を有する自動変速操作装置の適用形態に制限があるという問題もあった。
【０００６】
本発明は、このような事情に鑑みてなされたもので、オートマチックモードからマニュアルモードへシフトレバーを傾倒操作する際の操作音を小さくしつつ摩耗による耐久性の悪化を回避することができるとともに、適用形態を広げることができる車両用自動変速操作装置を提供することにある。
【課題を解決するための手段】
【０００７】
請求項１記載の発明は、車体に固定され得るブラケットに対して前後方向に揺動及び左右方向に傾倒可能に支持されたシフトレバーを有し、前後方向への揺動操作により設定されるオートマチックモードと、左又は右方向への傾倒操作の後に前後方向への揺動操作を行うことにより設定されるマニュアルモードとを具備する車両用自動変速操作装置において、前記ブラケットに対し前後方向へ前記シフトレバーを揺動させ得るとともに、当該シフトレバーを挿通させ得る開口部が形成されたピボット軸と、該ピボット軸の開口部内に配設され、前記ブラケットに対して左右方向へ前記シフトレバーを傾倒させ得る支持ピンと、該支持ピンを軸として傾倒した前記シフトレバーと当接して当該シフトレバーの傾倒範囲を規制する当接部とを備えるとともに、前記当接部が前記ピボット軸の開口部内に設けられたことを特徴とする。
【０００８】
請求項２記載の発明は、請求項１記載の車両用自動変速操作装置において、前記当接部の当接部位には、クッション材が設けられていることを特徴とする。
【０００９】
請求項３記載の発明は、請求項１又は請求項２記載の車両用自動変速操作装置において、前記当接部は、ピボット軸の開口部内壁からシフトレバー側へ突設した突起部から成るとともに、前記シフトレバーには凹部が設けられ、少なくとも当該シフトレバーを左右方向へ傾倒した際に凹部の上面又は下面が突起部と当接して傾倒範囲を規制することを特徴とする。
【００１０】
請求項４記載の発明は、請求項１〜請求項３のいずれか１つに記載の車両用自動変速操作装置において、前記ピボット軸の前記ブラケットに対するシフトレバーの揺動軸線上に前記支持ピンが配設されたことを特徴とする。
【発明の効果】
【００１１】
請求項１の発明によれば、傾倒したシフトレバーと当接して当該シフトレバーの傾倒範囲を規制する当接部を備えることにより、オートマチックモードからマニュアルモードへシフトレバーを傾倒操作する際の操作音を小さくしつつ摩耗による耐久性の悪化を回避することができるとともに、当接部がピボット軸の開口部内に設けられているので、ゲート溝がないもの等に適用形態を広げることができる。
【００１２】
請求項２の発明によれば、当接部のシフトレバーとの当接部位には、クッション材が設けられているので、オートマチックモードからマニュアルモードへの操作音を更に低減させることができるとともに耐久性を更に向上させることができる。
【００１３】
請求項３の発明によれば、当接部がピボット軸の開口部内壁からシフトレバー側へ突設した突起部から成るとともに、シフトレバーには凹部が設けられ、少なくとも当該シフトレバーを左右方向へ傾倒した際に凹部の上面又は下面が突起部と当接して傾倒範囲を規制するので、より精度よくシフトレバーの傾倒を規制することができるとともに、当接部を容易に製造することができる。
【００１４】
請求項４の発明によれば、ピボット軸のブラケットに対するシフトレバーの揺動軸線上に支持ピンが配設されることにより、当該軸線上以外に支持ピンが配設されてシフトレバーが左右方向に傾倒するものに比べ、シフトレバーの揺動機構（前後方向及び左右方向の揺動又は傾倒機構を含む）を小型化することができる。
【発明を実施するための最良の形態】
【００１５】
以下、本発明の実施形態について図面を参照しながら具体的に説明する。
本実施形態に係る車両用自動変速操作装置は、オートマチックモード及びマニュアルモードを任意に設定可能なものであって、図１〜図３に示すように、ノブ部１ａ及びレバー部１ｂから主に成るシフトレバー１と、車体に固定されるべきブラケット２と、該ブラケット２の表面を覆ったエスカッション３とから主に外観が構成されている。
【００１６】
シフトレバー１は、ブラケット２やエスカッション３等車体に固定される部材に対して当該車体の前後方向（図中ａ方向）に揺動可能とされているとともに、左右方向（図中ｂ方向）に傾倒可能に支持されたもので、通常状態において前後方向へ揺動されることによりオートマチックモードとされ、傾倒後に前後方向へ揺動されることによりマニュアルモードとされる。ノブ部１ａから下方には中空状のレバー部１ｂが延設されており、該レバー部１ｂがエスカッション３に形成された長孔３ａを挿通した状態とされている。
【００１７】
また、シフトレバー１は、図２に示すように、ピボット軸４を中心として車両の前後方向（同図中ａ方向）に揺動可能とされるとともに、当該シフトレバー１がドライブ（Ｄ）の位置にあるとき、図３に示すように、支持ピン６を軸として同図中ｂ方向へ傾倒可能とされている。一方、シフトレバー１のレバー部１ｂ内には、図４に示すように、ロッドロックピン１ｃが挿通され、シフトレバー１のノブ部１ａに形成されたプッシュノブ１ｄを押圧操作すると当該ロッドロックピン１ｃが下降するよう構成されている。かかるロッドロックピン１ｃの下降により、パーキング（Ｐ）位置にあるシフトレバー１のリバース（Ｒ）側への揺動操作の規制（図示しない規制部材による規制）が解除される。
【００１８】
更に、レバー部１ｂには、下面１１ａ及び上面１１ｂを有する略コ字状に開口した凹部１１と、支持ピン６を挿通するための支持ピン用孔１２と、膨出部１３とが形成されている。かかるレバー部１ｂは、ロッドロックピン１を内装しつつピボット軸４及び該ピボット軸４の外周面を覆ったワイヤーブラケット５の双方に形成された開口部Ｋ１及びＫ２（それぞれの上下面を貫通した孔）に挿通して組み付けられる。より具体的には、ワイヤーブラケット５には、上下方向に貫通した開口部Ｋ１の他、前後方向に開口して支持ピン６を挿通し得る孔５ａ、ピボット軸４を挿通し得るべく左右側面に開口した孔が形成されている。
【００１９】
また、ワイヤーブラケット５は、オートマチックモード時（即ち、シフトレバー１の傾倒操作がない状態）においてシフトレバー１と係合し、その前後方向の揺動動作と連動するものであり、側方にワイヤ用突部５ｂが形成されるとともに、シフトレバー１との係合用の係合凹部５ｃが形成されている。ワイヤ用突部５ｂの突端近傍に形成された孔にはワイヤ係合部材１０が挿通された後、ワッシャＷ１にて抜け止めされ一体化されている。このワイヤ係合部材１０には、車両が具備する自動変速機（不図示）まで延びるワイヤが係止される。
【００２０】
即ち、シフトレバー１を傾倒しない通常状態において、その下端近傍に形成された膨出部１３が係合凹部５ｃと係合しており、ワイヤーブラケット５がピボット軸４と共に当該シフトレバー１の前後方向の揺動動作と連動するよう構成されており、上述したワイヤ係合部材１０に係止されたワイヤを介して自動変速機を操作可能とされている。また、シフトレバー１を傾倒させてマニュアルモードとすると、膨出部１３が係合凹部５ｃから離間するので、シフトレバー１の前後方向の揺動動作がなされてもワイヤーブラケット５は連動せず、停止したままとなる。
【００２１】
一方、ピボット軸４はオートマチックモード時及びマニュアルモード時においてシフトレバー１の前後方向の揺動軸を成すもので、図５及び図６で示すように、支持ピン６を挿通するための一対の孔４ａが側面に形成されるとともに、端部には軸方向に延びる突部４ｂ及び４ｃが突出形成されている。また、内部の開口部Ｋ２における内壁（図６中左側内壁）には、当該開口部Ｋ２の内側（即ち、シフトレバー１が挿通された状態におけるシフトレバー１側）に向かって突起部７が突設されている。そして、図４に示すように、ワイヤーブラケット５の開口部Ｋ１にピボット軸４を内装し、その開口部Ｋ２にシフトレバー１のレバー部１ｂを挿通させた後、孔５ａを介して支持ピン６を支持ピン用孔１２に挿通させる。尚、挿通された支持ピン６の先端にはワッシャＷ２が係合されて抜け止めが施されている。
【００２２】
これにより、図７に示すように、シフトレバー１は、支持ピン６によってピボット軸４と係合されるので、当該シフトレバー１の前後方向への揺動軸を成すこととなる。より具体的には、ピボット軸４は、ワイヤーブラケット５内に配設されるとともに、支持部材８、９を介してブラケット２に支持されるため、その軸回りの回転が許容されることとなるので、支持ピン６によりピボット軸４と一体化されたシフトレバー１は、当該ピボット軸４を中心に前後方向へ揺動可能とされるのである。
【００２３】
また、シフトレバー１は、支持ピン６を介してブラケット２に支持されているため、当該ブラケット２に対して左右方向へ傾倒可能とされている。従って、シフトレバー１は、既述の如くピボット軸４による前後方向への揺動動作が可能とされてオートマチックモードとすることができるとともに、支持ピン６による左又は右方向への傾倒動作が可能とされてマニュアルモードとすることができる。
【００２４】
更に、かかる支持ピン６は、ピボット軸４の揺動軸線Ｌ１上に配設されるよう設定されており、シフトレバー１の前後及び左右方向への揺動及び傾倒機構の小型化に寄与している。即ち、揺動軸線Ｌ１上以外の箇所に支持ピン６が位置するよう設定した場合、当該揺動軸線Ｌ１から支持ピン６までの寸法分だけ揺動及び傾倒機構の上下方向の寸法が増大してしまい大型化してしまうので、それを回避することができるのである。但し、このような上下方向の小型化を図らなければ、支持ピン６をピボット軸４の揺動軸線Ｌ１からずれた位置に配設するよう設定してもよい。
【００２５】
ここで、シフトレバー１（レバー部１ｂ）の凹部１１における上面１１ｂは、オートマチックモード（即ち、シフトレバー１の傾倒動作がない状態）のとき、図７に示すように、突起部７の上面と当接している一方、マニュアルモードにすべくシフトレバー１を同図中右方向へ傾倒させると、図８に示すように、凹部１１の下面１１ａが突起部７の下面と当接するように構成されている。即ち、マニュアルモードにすべくシフトレバー１を右方向（又は左方向への傾倒機構としてもよい）へ傾倒させると、凹部１１の下面１１ａが突起部７と当接して、その傾倒範囲が規制されているのである。尚、本実施形態においては、突起部７と凹部１１とがシフトレバー１の傾倒範囲を規制する当接部を構成している。
【００２６】
更に、図７及び図８に示すように、レバー部１ｂに形成された凹部１１は、クッション材としての軟質樹脂１４で形成されており、シフトレバー１の傾倒時又はオートマチックモードに戻す際の操作音を更に低減させることができるとともに耐久性を更に向上させることができる。尚、本実施形態においては、凹部１１側をクッション材で構成しているが、突起部７を軟質樹脂等でモールディングしてクッション材として機能させるようにしてもよい。
【００２７】
このように、突起部７と凹部１１とから成る当接部がピボット軸４の開口部Ｋ２内に設けられているので、本実施形態の如くゲート溝がないもの等にも適用形態を広げることができる。また、シフトレバー１の傾倒範囲の規制は、従来の如く摺動動作を伴わず、当接のみで行われるため、傾倒動作の操作音を小さくしつつ摺動等で生じる摩耗による耐久性の悪化を回避することができる。更に、シフトレバー１の揺動及び傾倒機構（具体的にはピボット軸）内で当該シフトレバー１の傾倒範囲を規制するので、他の部位に規制手段を設けたものに比べ、装置全体を小型化することができる。
【００２８】
以上、本実施形態について説明したが、本発明はこれに限定されるものではなく、例えばシフトレバー側に突起を設け、ピボット軸の開口内に当該突起と当接する凹部を形成するようにしてもよい。この場合であっても、操作音の低減、耐久性の向上に加え、本発明の適用形態を広げることができるが、ピボット軸の開口内に凹部を形成するのが困難となる虞があるため、本実施形態の如くピボット軸側に突起部、シフトレバー側に凹部とするのが好ましい。
【産業上の利用可能性】
【００２９】
オートマチックモードの他傾倒動作によりマニュアルモードとすることができ、且つ、シフトレバーの傾倒範囲を規制するための当接部がピボット軸の開口部内に設けられたものであれば、例えば外観形状等が他の形態の車両用自動変速操作装置であっても適用することができる。
【図面の簡単な説明】
【００３０】
【図１】本発明の実施形態に係る車両用自動変速操作装置を示す斜視図
【図２】同車両用変速操作装置を示す左側面図
【図３】同車両用変速操作装置を示す正面図
【図４】同車両用変速操作装置におけるシフトレバー、ピボット軸及びワイヤーブラケット等を示す分解斜視図
【図５】同車両用変速操作装置におけるピボット軸を示す正面図
【図６】同車両用変速操作装置におけるピボット軸の縦断面図
【図７】同車両用変速操作装置における当接部（突起部及び凹部）の機能を説明するための断面模式図（オートマチックモード時）
【図８】同車両用変速操作装置における当接部（突起部及び凹部）の機能を説明するための断面模式図（マニュアルモード時）
【符号の説明】
【００３１】
１    シフトレバー
２    ブラケット
３    エスカッション
４    ピボット軸
５    ワイヤーブラケット
６    支持ピン
７    突起部（当接部）
８    支持部材
９    支持部材
１０  ワイヤ係合部材
１１  凹部（当接部）
１１ａ  下面
１１ｂ  上面
１２  支持ピン用孔
１３  膨出部
１４  軟質樹脂（クッション材）
Ｋ１  開口部
Ｋ２  開口部
ａ    前後方向（揺動方向）
ｂ    左右方向（傾倒方向）
【図１】
2005119395.tif 000003
【図２】
2005119395.tif 000004
【図３】
2005119395.tif 000005
【図４】
2005119395.tif 000006
【図５】
2005119395.tif 000007
【図６】
2005119395.tif 000008
【図７】
2005119395.tif 000009
【図８】
2005119395.tif 000010